【手続補正書】
【提出日】平成22年8月2日(2010.8.2)
【手続補正１】
【補正対象書類名】特許請求の範囲
【補正対象項目名】全文
【補正方法】変更
【補正の内容】
【特許請求の範囲】
【請求項１】
表示データに応じた表示を行う表示パネルの表示の明るさを制御する表示制御回路であって、
前記表示データ及び明るさ設定値が供給され、前記明るさ設定値に応じて、前記表示データに基づく表示基準データと、前記表示基準データをビット方向にシフトさせた表示シフトデータと、を作成する手段と、
作成された前記表示基準データと前記表示シフトデータとを、前記明るさ設定値に応じた頻度で、フレーム期間毎に前記表示パネルに選択的に出力する出力手段と、
を具備することを特徴とする表示制御回路。
【請求項２】
前記表示基準データ及び前記表示シフトデータを作成する手段は、
前記明るさ設定値に応じて、前記表示データから基準となる前記表示基準データを作成し保持する表示基準データ作成保持回路と、
前記明るさ設定値に応じて、前記表示基準データ作成保持回路で作成保持された前記表示基準データをビット方向にシフトさせて、前記表示シフトデータとして保持する表示シフトデータ保持回路と、
を具備することを特徴とする請求項１に記載の表示制御回路。
【請求項３】
前記表示基準データ作成保持回路は、
前記明るさ設定値が供給され、該明るさ設定値と予め設定された明るさ基準設定値との差分からなる明るさ設定差分値に応じたデータシフト方向及びデータシフト量を決定するデータシフト信号作成回路と、
前記表示データが供給され、前記データシフト信号作成回路で決定されたデータシフト方向とデータシフト量に従って、前記表示データから前記表示基準データを作成する表示基準データ作成回路と、
前記表示基準データ作成回路で作成された前記表示基準データを格納する表示基準データレジスタと、
を備えることを特徴とする請求項２に記載の表示制御回路。
【請求項４】
前記データシフト信号作成回路は、
前記明るさ設定値の値が前記明るさ基準設定値より大きいとき、前記データシフト方向を最上位ビット方向とし、
前記明るさ設定値の値が前記明るさ基準設定値より小さいとき、前記データシフト方向を最下位ビット方向とし、
前記データシフト量を、前記明るさ設定値の値が前記明るさ基準設定値に対して４段階増加する毎に、１ビットシフトさせるものとする、
ことを特徴とする請求項３に記載の表示制御回路。
【請求項５】
前記出力手段は、垂直同期信号が供給され、前記明るさ設定差分値に応じて、前記表示基準データ作成保持回路で作成保持された前記表示基準データと、前記表示シフトデータ保持回路に保持された前記表示シフトデータとを、前記垂直同期信号に同期して前記表示パネルに選択的に出力する表示データ出力回路を備えることを特徴とする請求項３に記載の表示制御回路。
【請求項６】
前記明るさ設定差分値は、前記明るさ設定値と前記明るさ基準設定値との差分の下位２ビットからなり、
前記表示データ出力回路は、
前記明るさ設定差分値の値が「０」の場合は、前記表示基準データレジスタに格納された前記表示基準データを出力し、
前記明るさ設定差分値の値が「１」の場合は、垂直同期信号４回に１回、前記表示基準データレジスタに格納された前記表示基準データ及び前記表示シフトデータ保持回路に保持された前記表示シフトデータの一方から他方に切り替え出力し、
前記明るさ設定差分値の値が「２」の場合は、垂直同期信号１回毎に、前記表示基準データレジスタに格納された前記表示基準データと前記表示シフトデータ保持回路に保持された前記表示シフトデータとを切り替え出力し、
前記明るさ設定差分値の値が「３」の場合は、垂直同期信号４回に１回、前記表示基準データレジスタに格納された前記表示基準データ及び前記表示シフトデータ保持回路に保持された前記表示シフトデータの他方から一方に切り替え出力する、
ことを特徴とする請求項５に記載の表示制御回路。
【請求項７】
前記明るさ設定差分値は、前記明るさ設定値と前記明るさ基準設定値との差分の下位２ビットからなり、
前記表示データ出力回路は、前記明るさ設定値の値が前記明るさ基準設定値より大きいとき、
前記明るさ設定差分値の値が「１」の場合は、垂直同期信号４回に１回、前記表示基準データレジスタに格納された前記表示基準データから前記表示シフトデータ保持回路に保持された前記表示シフトデータを切り替え出力し、
前記明るさ設定差分値の値が「３」の場合は、垂直同期信号４回に１回、前記表示シフトデータ保持回路に保持された前記表示シフトデータから前記表示基準データレジスタに格納された前記表示基準データを切り替え出力する、
ことを特徴とする請求項５に記載の表示制御回路。
【請求項８】
前記明るさ設定差分値は、前記明るさ設定値と前記明るさ基準設定値との差分の下位２ビットからなり、
前記表示データ出力回路は、前記明るさ設定値の値が前記明るさ基準設定値より小さいとき、
前記明るさ設定差分値の値が「１」の場合は、垂直同期信号４回に１回、前記表示シフトデータ保持回路に保持された前記表示シフトデータから前記表示基準データレジスタに格納された前記表示基準データを切り替え出力し、
前記明るさ設定差分値の値が「３」の場合は、垂直同期信号４回に１回、前記表示基準データレジスタに格納された前記表示基準データから前記表示シフトデータ保持回路に保持された前記表示シフトデータを切り替え出力する、
ことを特徴とする請求項５に記載の表示制御回路。
【請求項９】
複数の信号線と複数の走査線とをマトリックス状に配置し、前記信号線と前記走査線の各交点に画素が配置される表示パネルと、
該表示パネルの前記複数の走査線を選択する走査ドライバと、
指示された明るさ設定値に応じて、入力された表示データを調整して出力する表示制御回路と、
前記複数の信号線に、前記明るさ調整回路で調整された表示データに従った信号を出力するデータドライバと、
を具備し、
前記表示制御回路は、
前記表示データ及び明るさ設定値が供給され、前記明るさ設定値に応じて、前記表示データに基づく表示基準データと、前記表示基準データをビット方向にシフトさせた表示シフトデータと、を作成する手段と、
作成された前記表示基準データと前記表示シフトデータとを、前記明るさ設定値に応じた頻度で、フレーム期間毎に前記表示パネルに選択的に前記データドライバに出力する出力手段と、
を備えることを特徴とする表示装置。
【請求項１０】
前記表示基準データ及び前記表示シフトデータを作成する手段は、
前記明るさ設定値が供給され、該明るさ設定値と予め設定された明るさ基準設定値との差分からなる明るさ設定差分値に応じたデータシフト方向及びデータシフト量を決定するデータシフト信号作成回路と、前記表示データが供給され、前記データシフト信号作成回路で決定されたデータシフト方向とデータシフト量に従って、前記表示データから前記表示基準データを作成する表示基準データ作成回路と、前記表示基準データ作成回路で作成された前記表示基準データを格納する表示基準データレジスタと、を備える表示基準データ作成保持回路と、
前記明るさ設定差分値に応じて、前記表示基準データ作成保持回路で作成保持された前記表示基準データをビット方向にシフトさせて、前記表示シフトデータとして保持する表示シフトデータ保持回路と、
を備えることを特徴とする請求項９に記載の表示装置。
【請求項１１】
前記データシフト信号作成回路は、
前記明るさ設定値の値が前記明るさ基準設定値より大きいとき、前記データシフト方向を最上位ビット方向とし、
前記明るさ設定値の値が前記明るさ基準設定値より小さいとき、前記データシフト方向を最下位ビット方向とし、
前記データシフト量を、前記明るさ設定値の値が前記明るさ基準設定値に対して４段階増加する毎に、１ビットシフトさせるものとする、
ことを特徴とする請求項１０に記載の表示装置。
【請求項１２】
前記出力手段は、垂直同期信号が供給され、前記明るさ設定差分値に応じて、前記表示基準データ作成保持回路で作成保持された前記表示基準データと、前記表示シフトデータ保持回路に保持された前記表示シフトデータとを、前記垂直同期信号に同期して前記表示パネルに選択的に出力する表示データ出力回路を備えることを特徴とする請求項１０に記載の表示装置。
【手続補正２】
【補正対象書類名】明細書
【補正対象項目名】００１５
【補正方法】変更
【補正の内容】
【００１５】
請求項４に記載の表示制御回路は、請求項３に記載の表示制御回路において、
前記データシフト信号作成回路は、
前記明るさ設定値の値が前記明るさ基準設定値より大きいとき、前記データシフト方向を最上位ビット方向とし、
前記明るさ設定値の値が前記明るさ基準設定値より小さいとき、前記データシフト方向を最下位ビット方向とし、
前記データシフト量を、前記明るさ設定値の値が前記明るさ基準設定値に対して４段階増加する毎に、１ビットシフトさせるものとする、
ことを特徴とする。
【手続補正３】
【補正対象書類名】明細書
【補正対象項目名】００１７
【補正方法】変更
【補正の内容】
【００１７】
請求項６に記載の表示制御回路は、請求項５に記載の表示制御回路において、
前記明るさ設定差分値は、前記明るさ設定値と前記明るさ基準設定値との差分の下位２ビットからなり、
前記表示データ出力回路は、
前記明るさ設定差分値の値が「０」の場合は、前記表示基準データレジスタに格納された前記表示基準データを出力し、
前記明るさ設定差分値の値が「１」の場合は、垂直同期信号４回に１回、前記表示基準データレジスタに格納された前記表示基準データ及び前記表示シフトデータ保持回路に保持された前記表示シフトデータの一方から他方に切り替え出力し、
前記明るさ設定差分値の値が「２」の場合は、垂直同期信号１回毎に、前記表示基準データレジスタに格納された前記表示基準データと前記表示シフトデータ保持回路に保持された前記表示シフトデータとを切り替え出力し、
前記明るさ設定差分値の値が「３」の場合は、垂直同期信号４回に１回、前記表示基準データレジスタに格納された前記表示基準データ及び前記表示シフトデータ保持回路に保持された前記表示シフトデータの他方から一方に切り替え出力する、
ことを特徴とする。
【手続補正４】
【補正対象書類名】明細書
【補正対象項目名】００２２
【補正方法】変更
【補正の内容】
【００２２】
請求項１１に記載の表示装置は、請求項１０に記載の表示装置において、
前記データシフト信号作成回路は、
前記明るさ設定値の値が前記明るさ基準設定値より大きいとき、前記データシフト方向を最上位ビット方向とし、
前記明るさ設定値の値が前記明るさ基準設定値より小さいとき、前記データシフト方向を最下位ビット方向とし、
前記データシフト量を、前記明るさ設定値の値が前記明るさ基準設定値に対して４段階増加する毎に、１ビットシフトさせるものとする、
ことを特徴とする。
【手続補正５】
【補正対象書類名】明細書
【補正対象項目名】００３５
【補正方法】変更
【補正の内容】
【００３５】
ここで、明るさ設定値の１段階における明るさの変化量が表示データの何階調分に相当するかは任意に定めることができるものであるが、本実施形態においては、明るさ設定値が＋４段階変化したときの明るさの変化量が、階調の値が２倍に変化したときの明るさの変化量に対応するものとし、明るさ設定値が−４段階変化したときの明るさの変化量が、階調の値が１／２倍に変化したときの明るさの変化量に対応するものとする。この場合、表示データを最上位ビット側に１ビットシフトすると表示データの階調値を２倍にしたことになり、表示データを最下位ビット側に１ビットシフトすると、表示データの階調値を１／２倍にしたことになるため、本実施形態においては、表示データのシフト量について、前記明るさ設定値が前記明るさ基準設定値に対して４段階変化する度に、表示データを１ビットシフトさせるものとし、１段階〜３段階の変化ではシフトさせないこととする。
【手続補正６】
【補正対象書類名】明細書
【補正対象項目名】００３８
【補正方法】変更
【補正の内容】
【００３８】
即ち、前記データシフト方向信号が表示データのシフト方向として桁上がりを示すときには、前記明るさ設定値が前記明るさ基準設定値に対して４段階変化する度に１ビットのシフト量を示す前記データシフト量信号に応じて、前記入力された表示データを１ビット最上位ビット側にシフトさせる。なお、データをシフトさせた空きビットには「１」を書き込む。
【手続補正７】
【補正対象書類名】明細書
【補正対象項目名】００３９
【補正方法】変更
【補正の内容】
【００３９】
また、前記データシフト方向信号が表示データのシフト方向として桁下がりを示すときには、前記明るさ設定値が前記明るさ基準設定値に対して４段階変化する度に１ビットのシフト量を示す前記データシフト量信号に応じて、前記入力された表示データを１ビット最下位ビット側にシフトさせ、データをシフトさせた空きビットには「０」を書き込む。
【手続補正８】
【補正対象書類名】明細書
【補正対象項目名】００４１
【補正方法】変更
【補正の内容】
【００４１】
表示シフトデータレジスタ１８６には、前記データシフト信号作成回路１８３から供給される前記データシフト方向信号に応じて、前記表示基準データレジスタ１８５に保持された表示基準データが、更に１ビットシフトされて、表示シフトデータとして書き込まれ、書き込まれた表示シフトデータがセレクタ１８８に出力される。即ち、前記データシフト方向信号が表示データのシフト方向として桁上がりを示すときには、前記表示基準データを更に最上位ビット側に１ビットシフトさせた表示シフトデータが書き込まれ、前記データシフト方向信号が表示データのシフト方向として桁下がりを示すときには、前記表示基準データを更に最下位ビット側に１ビットシフトさせた表示シフトデータが書き込まれる。
【手続補正９】
【補正対象書類名】明細書
【補正対象項目名】００４４
【補正方法】変更
【補正の内容】
【００４４】
表示データ選択信号作成回路１８７は、切り替えパターンが前記切り替えパターン１の場合には、表示基準データレジスタ１８５に保持された表示基準データを選択するような選択信号を生成してセレクタ１８８に出力する。また、前記切り替えパターン２の場合には、垂直同期信号４回に１回、すなわち４フレームに１回、表示データを切り替えるような選択信号を生成してセレクタ１８８に出力する。なお、セレクタ１８８において、表示データのシフト方向により、その１回において、前記表示基準データレジスタ１８５に保持された表示基準データと前記表示シフトデータレジスタ１８６に保持されている表示シフトデータのどちらを選択するかが決定される。
【手続補正１０】
【補正対象書類名】明細書
【補正対象項目名】００５５
【補正方法】変更
【補正の内容】
【００５５】
即ち、前記切り替えパターン１（明るさ設定値の下位２ビットの値が０の場合）においては、図２（Ａ）に示すように、ＬＣＤ表示データとしては、表示基準データレジスタ１８５に保持された表示基準データが供給される。
【手続補正１１】
【補正対象書類名】明細書
【補正対象項目名】００５６
【補正方法】変更
【補正の内容】
【００５６】
なお、この切り替えパターン１は、明るさ設定レジスタ１８２に設定保持される明るさ調整値が０（初期値）、＋４段階、＋８段階、…の場合であり、表示基準データは、その調整値に応じて、入力された表示データそのまま、入力された表示データを１ビット最上位ビット側にシフトさせ、データをシフトさせた空きビットには「１」を書き込んだもの、入力された表示データを２ビット最上位ビット側にシフトさせ空きビットには「１」を書き込んだもの、…となる。
【手続補正１２】
【補正対象書類名】明細書
【補正対象項目名】００５８
【補正方法】変更
【補正の内容】
【００５８】
なお、この切り替えパターン２は、明るさ設定レジスタ１８２に設定保持される明るさ調整値が＋１、＋５段階、＋９段階、…の場合であり、表示基準データは、その調整値に応じて、入力された表示データそのまま、入力された表示データを１ビット最上位ビット側にシフトさせ空きビットには「１」を書き込んだもの、入力された表示データを２ビット最上位ビット側にシフトさせ空きビットには「１」を書き込んだもの、…となる。
【手続補正１３】
【補正対象書類名】明細書
【補正対象項目名】００５９
【補正方法】変更
【補正の内容】
【００５９】
また、このような表示データのシフト方向が桁上りの場合における表示シフトデータは、そのような表示基準データを１ビット最上位ビット側にシフトさせたものであり、これを同図（及び図２（Ｃ）及び（Ｄ））では「＋１ｂｉｔシフトデータ」と記載している。
【手続補正１４】
【補正対象書類名】明細書
【補正対象項目名】００６０
【補正方法】変更
【補正の内容】
【００６０】
次いで、前記切り替えパターン３（明るさ設定値の下位２ビットの値が２の場合）においては、図２（Ｃ）に示すように、ＬＣＤ表示データとしては、垂直同期信号１回ごと、すなわち毎フレーム毎に、前記表示基準データレジスタ１８５に保持された表示基準データと前記表示シフトデータレジスタ１８６に格納された表示シフトデータとを切り替えて表示を行う。即ち、表示基準データ→表示シフトデータ→表示基準データ→表示シフトデータ→表示基準データ…となる。
【手続補正１５】
【補正対象書類名】明細書
【補正対象項目名】００６１
【補正方法】変更
【補正の内容】
【００６１】
なお、この切り替えパターン３は、明るさ設定レジスタ１８２に設定保持される明るさ調整値が＋２、＋６段階、＋１０段階、…の場合であり、表示基準データは、その調整値に応じて、入力された表示データそのまま、入力された表示データを１ビット最上位ビット側にシフトさせ空きビットには「１」を書き込んだもの、入力された表示データを２ビット最上位ビット側にシフトさせ空きビットには「１」を書き込んだもの、…となる。
【手続補正１６】
【補正対象書類名】明細書
【補正対象項目名】００６３
【補正方法】変更
【補正の内容】
【００６３】
なお、この切り替えパターン４は、明るさ設定レジスタ１８２に設定保持される明るさ調整値が＋３、＋７段階、＋１１段階、…の場合であり、表示基準データは、その調整値に応じて、入力された表示データそのまま、入力された表示データを１ビット最上位ビット側にシフトさせ空きビットには「１」を書き込んだもの、入力された表示データを２ビット最上位ビット側にシフトさせ空きビットには「１」を書き込んだもの、…となる。
【手続補正１７】
【補正対象書類名】明細書
【補正対象項目名】００６５
【補正方法】変更
【補正の内容】
【００６５】
即ち、前記切り替えパターン１（明るさ設定値の下位２ビットの値が０の場合）においては、図３（Ａ）に示すように、ＬＣＤ表示データとしては、表示基準データレジスタ１８５に保持された表示基準データが供給される。
【手続補正１８】
【補正対象書類名】明細書
【補正対象項目名】００６６
【補正方法】変更
【補正の内容】
【００６６】
なお、この切り替えパターン１は、明るさ設定レジスタ１８２に設定保持される明るさ調整値が０（初期値）、−４段階、−８段階、…の場合であり、表示基準データは、その調整値に応じて、入力された表示データそのまま、入力された表示データを１ビット最下位ビット側にシフトさせ、データをシフトさせた空きビットには「０」を書き込んだもの、入力された表示データを２ビット最下位ビット側にシフトさせ、データをシフトさせた空きビットには「０」を書き込んだもの、…となる。
【手続補正１９】
【補正対象書類名】明細書
【補正対象項目名】００６８
【補正方法】変更
【補正の内容】
【００６８】
なお、この切り替えパターン２は、明るさ設定レジスタ１８２に設定保持される明るさ調整値が−１、−５段階、−９段階、…の場合であり、表示基準データは、その調整値に応じて、入力された表示データそのまま、入力された表示データを１ビット最下位ビット側にシフトさせ空きビットには「０」を書き込んだもの、入力された表示データを２ビット最下位ビット側にシフトさせ空きビットには「０」を書き込んだもの、…となる。
【手続補正２０】
【補正対象書類名】明細書
【補正対象項目名】００７０
【補正方法】変更
【補正の内容】
【００７０】
次いで、前記切り替えパターン３（明るさ設定値の下位２ビットの値が２の場合）においては、図３（Ｃ）に示すように、ＬＣＤ表示データとしては、垂直同期信号１回ごと、すなわち毎フレーム毎に、前記表示基準データレジスタ１８５に保持された表示基準データと前記表示シフトデータレジスタ１８６に格納された表示シフトデータとを切り替えて表示を行う。即ち、表示基準データ→表示シフトデータ→表示基準データ→表示シフトデータ→表示基準データ…となる。
【手続補正２１】
【補正対象書類名】明細書
【補正対象項目名】００７１
【補正方法】変更
【補正の内容】
【００７１】
なお、この切り替えパターン３は、明るさ設定レジスタ１８２に設定保持される明るさ調整値が−２、−６段階、−１０段階、…の場合であり、表示基準データは、その調整値に応じて、入力された表示データそのまま、入力された表示データを１ビット最下位ビット側にシフトさせ空きビットには「０」を書き込んだもの、入力された表示データを２ビット最下位ビット側にシフトさせ空きビットには「０」を書き込んだもの、…となる。
【手続補正２２】
【補正対象書類名】明細書
【補正対象項目名】００７３
【補正方法】変更
【補正の内容】
【００７３】
なお、この切り替えパターン４は、明るさ設定レジスタ１８２に設定保持される明るさ調整値が−３、−７段階、−１１段階、…の場合であり、表示基準データは、その調整値に応じて、入力された表示データそのまま、入力された表示データを１ビット最下位ビット側にシフトさせ空きビットには「０」を書き込んだもの、入力された表示データを２ビット最下位ビット側にシフトさせ空きビットには「０」を書き込んだもの、…となる。
【手続補正２３】
【補正対象書類名】明細書
【補正対象項目名】００７５
【補正方法】変更
【補正の内容】
【００７５】
即ち、従来はコモン信号電圧Ｖｃｏｍの振幅で画面明るさ調整を行っていたものを、本一実施形態では、コモン信号電圧Ｖｃｏｍの振幅調整によらないで、表示データのシフト操作で明るさ調整を行うこととしたため、駆動アンプ１７０もゲートドライバ１２０やソースドライバ１３０、ＬＣＤコントローラ１５０等と共にＬＳＩ化することが可能となり、また、表示画面明るさ調整回路１８０もそのＬＳＩ内に組み込むことができる。従って、ＬＳＩは低い耐電圧性能で十分なものとなり、また、消費電力も低減できる。
【手続補正２４】
【補正対象書類名】明細書
【補正対象項目名】００７９
【補正方法】変更
【補正の内容】
【００７９】
例えば、前記一実施形態における表示画面の明るさ調整は、調整基準としての明るさ基準設定値を中間の明るさとして、調整範囲を明るい方向、暗い方向どちらにも調整できるようにしたが、調整基準を一番暗い状態にして調整範囲を明るい方向としても良く、逆に一番明るい状態を基準として調整方向を暗い方向としても良い。